(57)【特許請求の範囲】
【請求項１】
画像形成装置において、
シート上にトナー像を形成する画像形成部と、
シートに接着剤を塗布する接着剤塗布部を有するシート処理装置と、を備え、
前記画像形成部によりシート上に形成されたトナー像と、シートの前記接着剤が塗布された接着領域とを貼り合わせることを特徴とする画像形成装置。
【請求項２】
前記トナー像と前記接着領域とは同一のシート上に形成されることを特徴とする請求項１記載の画像形成装置。
【請求項３】
前記シート処理装置は、シートを折る折り装置を備え、
シートが前記折り装置によって折られることによって前記トナー像と前記接着領域が貼り合わされることを特徴とする請求項１又は２記載の画像形成装置。
【請求項４】
２枚のシートの一方に前記トナー像、他方に前記接着領域を形成し、前記トナー像と前記接着領域を貼り合わせることにより２枚のシートが接着されることを特徴とする請求項１記載の画像形成装置。
【請求項５】
前記画像形成部を制御する制御装置を備え、
前記制御装置は、前記接着剤による接着力を調整するために前記画像形成部により形成されるトナー像のトナーの量を調整することを特徴とする請求項１ないし４のいずれか１項に記載の画像形成装置。
【請求項６】
前記画像形成部を制御する制御装置を備え、
前記制御装置は、前記接着剤による接着力を調整するために前記画像形成部により形成されるトナー像の形成面積を調整することを特徴とする請求項１ないし４のいずれか１項に記載の画像形成装置。
【請求項７】
前記画像形成部を制御する制御装置を備え、
前記制御装置は、前記接着剤による接着力を調整するために前記画像形成部により形成されるトナー像の単位面積あたりのトナーの量を調整することを特徴とする請求項１ないし４のいずれか１項に記載の画像形成装置。
【請求項８】
前記接着剤による接着力の大きさを指定する入力部を備え、
前記制御装置は、前記入力部により指定された接着力の大きさに応じて前記接着剤による接着力を調整することを特徴とする請求項５ないし７のいずれか１項に記載の画像形成装置。
【請求項９】
トナー像が形成されたシートを貼り合わせる処理を行うシート処理装置において、
シートに接着剤を塗布する接着剤塗布部、を備え、
シート上に形成されたトナー像と、シートの前記接着剤が塗布された接着領域とを貼り合わせることを特徴とするシート処理装置。
【請求項１０】
前記接着領域は、前記トナー像が形成されたシート上に形成されることを特徴とする請求項９記載のシート処理装置。
【請求項１１】
シートを折る折り装置を備え、
シートが前記折り装置によって折られることによって前記トナー像と前記接着領域が貼り合わされることを特徴とする請求項９又は１０記載のシート処理装置。
【請求項１２】
前記トナー像が形成されたシートとは別のシートに前記接着領域を形成し、前記トナー像と前記接着領域を貼り合わせることにより２枚のシートが接着されることを特徴とする請求項９記載のシート処理装置。
【請求項１３】
前記接着剤塗布部の塗布量を制御する制御部を備え、
前記制御部は、前記接着剤による接着力を調整するためにトナー像のトナーの量に応じて前記接着剤塗布部による接着剤の塗布量を調整することを特徴とする請求項９ないし１２のいずれか１項に記載のシート処理装置。
【請求項１４】
シートを接着剤により貼り合わせる処理を行う画像形成装置において、
シート上にトナー像を形成する画像形成部と、
シートに接着剤を塗布する接着剤塗布部と、を有し、
シート上に形成されたトナー像と、シートの前記接着剤が塗布された接着領域とを貼り合わせることを特徴とする画像形成装置。
【請求項１５】
前記トナー像と前記接着領域とは同一のシート上に形成されることを特徴とする請求項１４記載の画像形成装置。
【請求項１６】
シートを折る折り装置を備え、
シートが前記折り装置によって折られることによって前記トナー像と前記接着領域が貼り合わされる請求項１４又は１５記載の画像形成装置。
【請求項１７】
２枚のシートの一方に前記トナー像、他方に前記接着領域を形成し、前記トナー像と前記接着領域を貼り合わせることにより２枚のシートが接着されることを特徴とする請求項１４記載の画像形成装置。
【請求項１８】
前記画像形成部を制御する制御装置を備え、
前記制御装置は、前記接着剤による接着力を調整するために前記画像形成部により形成されるトナー像のトナーの量を調整することを特徴とする請求項１４ないし１７のいずれか１項に記載の画像形成装置。
【請求項１９】
前記画像形成部を制御する制御装置を備え、
前記制御装置は、前記接着剤による接着力を調整するために前記画像形成部により形成されるトナー像の形成面積を調整することを特徴とする請求項１４ないし１７のいずれか１項に記載の画像形成装置。
【請求項２０】
前記画像形成部を制御する制御装置を備え、
前記制御装置は、前記接着剤による接着力を調整するために前記画像形成部により形成されるトナー像の単位面積あたりのトナーの量を調整することを特徴とする請求項１４ないし１７のいずれか１項に記載の画像形成装置。
【請求項２１】
前記接着剤による接着力の大きさを指定する入力部を備え、
前記制御装置は、前記入力部により指定された接着力の大きさに応じて前記接着剤による接着力を調整することを特徴とする請求項１８ないし２０のいずれか１項に記載の画像形成装置。
【発明の詳細な説明】
【技術分野】
【０００１】
本発明は、シート処理装置及び画像形成装置に関し、特に画像が形成されたシートを接着剤により貼り合わせる処理を行うものに関する。
【背景技術】
【０００２】
近年、複写機、プリンタ、これらの複合機等の画像形成装置においては、画像が形成された例えば紙、樹脂フィルム、金属シート等のシートを貼り合わせるシート処理装置を備えたものがある。そして、このようにシートを貼り合わせる方法として、液状の接着剤、或は乾燥型の接着剤塗布による接着手法が一般的に実施されている。
【０００３】
ところで、近年、シート接着の際の、接着力に関するニーズは多岐にわたってきている。例えば、情報の機密性を考慮し、情報表示面を折り畳んで、そのままダイレクトメールにする書類であれば、接着力は郵送中の負荷に対して折り畳んだ情報表示面が開かないよう、ある程度の強度が必要である。また、手で貼り付け部を開けようとした時には、書類が破損しない程度の剥離力を有する接着強度である必要がある。
【０００４】
また、付箋紙のような一時的に貼り付けるためのシートの場合には、接着力は弱く、剥離性を高くする必要が有り、機密封書のような場合は、貼り付け部からは容易に剥がれないような高い接着強度を必要とする。つまり、接着するシートの種類や用途に応じて、それぞれ異なる接着強度や剥離性が必要であり、このためシート処理装置においては、それぞれ対応するように装置ごとに調整する必要があった。
【０００５】
そこで、このような接着力を容易に調整できるようにしたものとして、例えば微小硬質物質を含む接着力調整剤が添加された接着剤調整層を中間に設け、この接着剤調整層により接着強度の調整を行っているものがある（特許文献１、特許文献２参照）。
【０００６】
また、感圧性接着剤を用いて、接着剤塗布面の３０〜６０％の範囲に４色インキでスクリーン印刷することで、感圧性接着剤の露出面積の調整によって、接着強度を調整する方法が開示されている（特許文献３参照）。
【０００７】
【特許文献１】特開平５−１８５７６８号公報
【特許文献２】特開平７−１８７２号公報
【特許文献３】特開平７−２９９９７４号公報
【発明の開示】
【発明が解決しようとする課題】
【０００８】
しかしながら、既述した従来のシート処理装置及び画像形成装置において、例えば接着剤調整層をシートと接着剤の中間部に設けて接着強度を調整する方式の場合、シートと接着剤の間に接着力調整剤が塗布された接着剤調整シートを挿し込む工程が必要となる。
【０００９】
ここで、この挿し込み工程はシートへの印字の前にあることが前提条件となるため、画像形成部の上流に接着剤調整シートと、シートの合流部が必要である。また、接着剤として感圧性接着剤を使用するようにしているため、画像形成部の下流に折り・加圧手段を設ける必要がある。
【００１０】
さらに、接着剤調整シートを使用する際、合流部の上流に接着剤調整シートをセットするが、接着強度調整が必要なシート上の領域、或は接着強度自体の設定が変わるたびに、異なるサイズの強度調整シートを用意し、装置に設定する必要があった。また、シートとの合流部においても、挿し込みタイミングを変更するなど、その他の調整事項も多い。
【００１１】
この結果、装置の大型化、装置コストアップ、生産シート単価アップ、接着剤の限定特殊化、生産効率の低下（特に多品種小ロット生産のようなオンデマンド生産能力の欠如）という課題がある。
【００１２】
また、接着剤塗布面の３０〜６０％の範囲に印刷し、感圧性接着剤の露出面積を調整することによって接着強度を調整する方法においては、少なくとも印字は接着剤塗布後に行う必要がある。
【００１３】
ここで、画像形成部と接着剤との関係を考慮すると、一般的なオフセット、凸版、凹版、孔版、電子写真トナー等のような版と被印刷体とを接触で印刷する方式を用いると、印字部が接着剤の粘性体によって、消耗する可能性が高い。また、接着剤として液状タイプを使用すると、インクを接着剤の上に印刷するため、インクの載り性が低下する。
【００１４】
このようなことから、接着剤の上にインクを塗り重ねて接着強度を調整する方式においては、使用できる接着剤は乾燥性の感圧性接着剤に限定される。更に、感圧性接着剤を使用する場合、接着性を付与するために、加圧手段が必要になる。また、加圧手段により加圧した場合、インクが印字面の反対側に転移するオフセット現象が発生する可能性がある。
【００１５】
この結果、装置の大型化、装置コストアップ、生産シート単価アップ、接着剤の限定特殊化という課題があった。
【００１６】
そこで、本発明は、このような現状に鑑みてなされたものであり、簡単な構成で接着力の強度を調整することのできるシート処理装置及び画像形成装置を提供することを目的とするものである。
【課題を解決するための手段】
【００１７】
本発明は、画像形成装置において、シート上にトナー像を形成する画像形成部と、シートに接着剤を塗布する接着剤塗布部を有するシート処理装置と、を備え、前記画像形成部によりシート上に形成されたトナー像と、シートの前記接着剤が塗布された接着領域とを貼り合わせることを特徴とするものである。
【発明の効果】
【００１８】
本発明のように、シートの、接着剤が塗布された接着領域に貼り合わされる部分に形成されるトナー像のトナーの量を調整して接着剤による接着力を調整することにより、簡単な構成で接着力の強度を調整することができる。
【発明を実施するための最良の形態】
【００１９】
以下、本発明を実施するための最良の形態を、図面を用いて詳細に説明する。
【００２０】
図１は、本発明の実施の形態に係るシート処理装置を備えた画像形成装置の一例である複写機の構成を示す図である。
【００２１】
図１において、１００Ａは白黒・カラー複写機（以下、複写機という）、１００は複写機本体（画像形成装置本体）である。この複写機本体１００の上部には原稿給送部１３１を備えた画像読取部１３０が、内部には画像形成部１２０がそれぞれ設けられると共に、複写機本体１００の側面にはシート処理装置であるフィニッシャ５００が接続されている。
【００２２】
ここで、この画像形成部１２０は、不図示の超音波モータにより駆動されると共に、イエロー、マゼンタ、シアン、ブラックの各色のトナー像を形成する、平行に配置された４つの感光体ドラム１０１（１０１ａ〜１０１ｄ）を備えている。また、感光体ドラム１０１ａ〜１０１ｄの周囲には、それぞれ一次帯電器１０２（１０２ａ〜１０２ｄ）、現像器１０３（１０３ａ〜１０３ｄ）及び転写帯電器１０４（１０４ａ〜１０４ｄ）が配置されている。
【００２３】
また、感光体ドラム１０１の上方にはＬＥＤ等で構成される不図示の露光装置が配置され、感光体ドラム１０１と転写帯電器１０４との間には、これを縦断する態様で配置された転写ベルト１２１が配置されている。
【００２４】
次に、このように構成された複写機１００Ａの画像形成動作について説明する。
【００２５】
画像読取部１３０により原稿画像が読み取られる、あるいは、外部のＰＣ４０１（図７）からのプリントデータが送信されると、画像形成動作が開始される。一方、画像形成部１２０では、まず感光体ドラム１０１が時計回りに回転駆動され、これにより一次帯電器１０２は感光体ドラム１０１の周面に一様な電荷を付与する。この後、不図示の露光装置は、画像読取部１３０により読み取られた原稿画像情報、あるいは外部のＰＣ４０１からのプリントデータに基づいて感光体ドラム１０１の周面に露光を行う。これにより、感光体ドラム１０１周面上には静電潜像が形成される。
【００２６】
次に、この静電潜像を現像器１０３によって現像することにより、感光体ドラム表面にイエロー、マゼンタ、シアン及びブラックの４色のトナー画像が形成される。
【００２７】
また、このトナー画像形成動作に並行して給紙カセット１０７ａ，１０７ｂに収容されたシートＳは、搬送ベルト１０８ａ，１０８ｂに連通されたファンからのエア吸引により上層部が捌かれ、１枚ずつピックアップされる。この後、シートＳは、搬送ローラ１０９ａ，１０９ｂを経て、レジストローラ１１０でタイミングを合わされた後、搬送ガイドに案内されて押さえローラ１１０ａと転写ベルト１２１で構成されるニップ部に搬送され、転写ベルト１２１上を搬送される。
【００２８】
なお、この押さえローラ１１０ａは不図示の加圧アームで保持され、不図示の加圧ばねにより転写ベルト側に付勢されると共に、転写ベルト１２１を挟んだ対向側にはバックアップローラ１１０ｂが設けられている。
【００２９】
次に、このように転写ベルト１２１上を搬送されるシートＳが感光体ドラム１０１と転写ベルト１２１とが圧接する転写部に搬送される。そして、この転写部において、トナーと逆極性の電圧を印加された転写帯電器１０４により感光体ドラム１０１上のイエロー、マゼンタ、シアン、ブラックの各色のトナー画像が、シートＳ上に順次重ね合わせて転写される。
【００３０】
次に、このように４色のトナー画像が多重転写されたシートＳは、定着装置１１１へと搬入され、この定着装置１１１において、トナー像がシートＳ上に定着され、トナー像が定着されたシートＳは、排紙ローラ対１１３によりフィニッシャ５００に排出される。
【００３１】
ここで、このフィニッシャ５００は、複写機本体１００から排出されたシートを順に取り込み、取り込んだ複数のシートを整合して１つの束に束ねる処理、束ねたシート束の後端をステイプルで綴じるステイプル処理を行うものである。さらに、取り込んだシートの後端付近に孔あけをするパンチ処理、ソート処理、ノンソート処理、中綴じ製本処理、折り処理、糊付け処理、閉封処理等の処理を行うものである。
【００３２】
また、このフィニッシャ５００は複写機本体１００から排出されるシートを、オンラインで処理することができるようになっている。さらに、フィニッシャ５００は、オプションとして使用されることがあるため、複写機本体１００は、単独でも使用できるようになっている。また、フィニッシャ５００と複写機本体１００は、一体であってもよい。
【００３３】
このフィニッシャ５００は、複写機本体１００から排出されたシートを内部に導くための入口ローラ対６０２を有している。この入口ローラ対６０２の下流側には、シートを、平綴じ処理部３００に案内する平綴じ製本パスＸ、又は折り製本処理部１０００に案内する中綴じ製本パスＹに選択的に案内する切り替え部材６０１が設けられている。
【００３４】
そして、切り替え部材６０１により平綴じ製本パスＸに導かれたシートは、搬送ローラ対６０３を介してバッファローラ６０５に向けて送られる。ここで、バッファローラ６０５は、その外周に送られたシートを所定枚数積層して巻き付けられるローラである。バッファローラ６０５に送られたシートは、下流に配置された切り替え部材６１１によって、サンプルトレイ６２１に積載されるか、若しくは平綴じ処理部３００内のシート積載手段である中間処理トレイ３３０に積載される。
【００３５】
この後、中間処理トレイ３３０上に束状に積載されたシートは、必要に応じて整合処理、ステイプラ３０１によるステイプル処理等が施された後、排出ローラ３８０ａ，３８０ｂによりスタックトレイ６２２上に排出される。
【００３６】
なお、６５０は搬送ローラ対６０３とバッファローラ６０５との間に設けられたパンチユニットであり、このパンチユニット６５０は、必要に応じて動作し、搬送されてきたシートの後端付近に孔をあけるようになっている。
【００３７】
一方、切り替え部材６０１により中綴じ製本パスＹに案内されたシートは、図２に示す搬送ローラ対１００１により、折り装置としての折り製本処理部１０００に設けられた収納ガイド１０２０内に収納される。そして、シート先端が可動式のシート位置決め部材１０１１に接するまで搬送される。
【００３８】
この後、処理工程で糊付け処理を施す場合は糊付け機１００９と加圧ローラ１０１０によって、シートに対して糊付け処理が施される。また、複数回折りを施す場合は、第１折りローラ対１００３と第１突き出し部材１００２とにより構成される第１折り処理部によって、１箇所目の折りが施される。なお、このように第１折りローラ対１００３のニップによって折り目を付与した後、次の処理工程に備えるために、第１折りローラ対１００３は逆回転してシートをスイッチバックさせる。これにより、後端部（上側部）が仮折りされた状態で、再び先端（下側部）が収納ガイドのシート位置決め部材１０１１に当接するまで戻される。
【００３９】
さらに、収納ガイド１０２０の途中位置には、２対のステイプラ１００５が設けられており、このステイプラ１００５と、対向するアンビル１００４との協働により、シート束が中綴じされる。
【００４０】
また、このステイプラ１００５の下流位置には、第２折りローラ対１００６と、第２折りローラ対１００６に対向して設けられた第２突出し部材１００８とにより構成される第２折り処理部が設けられている。
【００４１】
そして、この第２折り処理部において、上流部で糊付け処理や第１折り処理、中綴じ処理を施されたシート束を、さらに折る処理が施される。なお、ここまでの各処理は全て、シート位置決め部材１０１１によってシートの先端位置を規制しながら、順次、シート位置決め部材１０１１を所定距離分だけ下降させて行う。
【００４２】
次に、第２折りローラ対１００６によって折られたシートは搬送ベルト１０１７に搬送されながら、円盤カッター１０１４により、シート束の天地（搬送方向の両サイド）を切断される。さらに、小口カッター１０１５によりシート束の小口部を切断され、この後、排出ローラ１０１６によりトレイ１０１８上に排出される。
【００４３】
なお、図２において、５０１は画像形成動作を行わずに直接、中間処理トレイ３３０や収納ガイド１０２０にシートを挿入する装置であるインサータである。そして、このインサータ５０１により、表紙、合紙、裏表紙等のインサートシートを画像形成シート束の中に挿し込むことにより、インサートシートと画像形成済みのシートとを一緒に、中綴じ、或は平綴じすることができる。
【００４４】
このようなインサータ５０１において、インサートシートを画像形成シート束の中に挿し込む場合は、インサート給紙トレイ１４０，１４１にセットされたインサートシートをピックアップローラ１４２，１４３によって給送する。そして、このインサートシートを、搬送ローラ１４４，１４５，１４７，１４８により搬送し、インサーターパス１４９を通って入口ローラ対６０２の上流部で合流させる。
【００４５】
なお、このようにインサートシートをインサートするタイミングとしては、表紙であれば、束の先頭タイミングで入口ローラ対６０２の上流部で合流させる。このとき、複写機本体側では表紙が製本パスＸに合流しきるまでの時間分、画像形成タイミングを待った後、最初のシートを、インサートシート分シート間隔を空けて搬送する。
【００４６】
合紙、裏表紙の時も同様、インサートシートのシート間隔だけ空けて複写機本体１００は稼動し、インサート給紙はそのシート間隔にあてはまるタイミングで給紙していく。これらのタイミングはすべて、搬送パス中のセンサーの応答信号でモニターし、制御している。
【００４７】
なお、図３〜図６は、このような折り製本処理部１０００において、生成される製本物の形態を示す図である。なお、図３の（ａ）は中折りされた１枚のシートＳ、図３の（ｂ）は中綴じ製本されたシート束ＳＡを示している。図４の（ａ）は内面が糊封された中折りシートＳ、図４の（ｂ）は貼り合わされた２枚のシートＳを示している。
【００４８】
図５の（ａ）は三つ折りされたシートＳ、図５の（ｂ）は両端を折ったものをさらに二つ折りにして観音折りされたシートＳを、図６は表紙を包み込んで閉封した、即ち中綴じ製本されたシート束ＳＡを示している。なお、このような形態以外にも「糊」と「折り」と「綴じ」を組み合わせれば、様々な形態のシート加工書類が生成可能となる。
【００４９】
図７は、複写機１００Ａの制御ブロック図である。制御装置としてのＣＰＵ回路部４００Ａは、ＣＰＵ４０７、制御プログラム等を格納したＲＯＭ４０８、制御データを一時的に保持するための領域や、制御に伴う演算の作業領域として用いられるＲＡＭ４０９を有している。
【００５０】
なお、図７において、４０２は複写機１００Ａと外部のＰＣ４０１とのインターフェースである外部Ｉ／Ｆ（インターフェース）である。この外部Ｉ／Ｆ４０２はＰＣ４０１からのプリントデータを受信すると、このデータをビットマップ画像に展開し、画像データとして画像信号制御部４０５へ出力する。
【００５１】
そして、この画像信号制御部４０５は、このデータをプリンタ制御部４０６へ出力し、プリンタ制御部４０６は、画像信号制御部４０５からのデータを不図示の露光制御部へ出力する。なお、イメージリーダ制御部４０４から画像信号制御部４０５へは、イメージセンサ（図１参照）で読み取った原稿の画像が出力され、画像信号制御部４０５は、この画像出力をプリンタ制御部４０６へ出力する。
【００５２】
また、操作部４１０は、画像形成に関する各種機能を設定するための複数のキー及び設定状態を表示するための表示部等を有している。そして、ユーザによる各キーの操作に対応するキー信号をＣＰＵ回路部４００Ａに出力すると共に、ＣＰＵ回路部４００Ａからの信号に基づき対応する情報を表示部に表示する。
【００５３】
ＣＰＵ回路部４００Ａは、ＲＯＭ４０８に格納された制御プログラム及び操作部４１０の設定に従い、画像信号制御部４０５を制御すると共に、原稿給送制御部４０３を介して原稿給送部１３１を制御する。
【００５４】
また、ＣＰＵ回路部４００Ａは、イメージリーダ制御部４０４を介して画像読取部（イメージリーダ部）１３０を、プリンタ制御部４０６を介して画像形成部１２０をそれぞれ制御する。さらに、フィニッシャ制御部４１１を介して、図８に示すようにフィニッシャ５００に設けられた平綴じ処理部３００及び折り製本処理部１０００等をそれぞれ制御する。
【００５５】
また、ＣＰＵ回路部４００Ａは、ＰＣ４０１又は操作部４１０より入力、設定された、処理のモード等に基づきフィニッシャ制御部４１１を制御する。なお、図８は、制御部としてのフィニッシャ制御部４１１の制御ブロック図であり、このフィニッシャ制御部４１１は、Ｉ／Ｏ４１１０を介してシートの搬送を制御する搬送制御部４１１１、折り処理搬送部４１１２、糊付け処理部４１１３を制御する。
【００５６】
また、フィニッシャ制御部４１１は、Ｉ／Ｏ４１１０を介して第１折り処理部４１１４、第２折り処理部４１１５、ステイプル処理部４１１６、折り搬送処理部４１１７を制御する。
【００５７】
次に、トナー像と剥離力の関係について図９を用いて説明する。
【００５８】
図９において、Ｓ１ａ〜Ｓ３ａは、はがき、枚葉紙、封筒、連続紙といった一般的にトナー像を転写する電写真方式の複写機、プリンタ、ファクシミリ等によって、画像形成が可能なシートである。
【００５９】
そして、このシートＳ１ａ〜Ｓ３ａは、図９の（ａ）〜（ｃ）に示すように貼り付け領域（トナー像部）Ａ１〜Ａ３が設けられており、この貼り付け領域Ａ１〜Ａ３にはトナー像１ａ〜３ａが形成されている。
【００６０】
Ｓ１ｂ〜Ｓ３ｂは、シートＳ１ａ〜Ｓ３ａに接着されるシートであり、このシートＳ１ｂ〜Ｓ３ｂは、シートＳ１ａ〜Ｓ３ａと同等の特性を有すると共に、スプレー糊、固形糊、液状糊等の接着剤が塗布される領域（接着領域）Ｂ１〜Ｂ３が設けられている。そして、この領域Ｂ１〜Ｂ３に接着剤を塗布し、矢印方向に手動、若しくは不図示のシート貼り合わせ装置により、シートＳ１ｂ〜Ｓ３ｂをシートＳ１ａ〜Ｓ３ａに貼り付けるようにしている。
【００６１】
図９の（ａ）と（ｂ）とを比較すると、（ｂ）の方は、（ａ）のトナー像１ａに比べて広い面積（例えば、約１．６倍）のトナー像２ａが貼り付け領域Ａ２に定着されている。また、図９の（ｃ）は、（ｂ）のトナー像２ａの線に比べて、線が狭いトナー像３ａが形成されている。
【００６２】
図１０の（ａ）は、シートＳ１ｂとシートＳ２ｂの剥離力及び接着面上に占めるトナー面積率と剥離力との関係を示したグラフ（図）である。そして、このグラフに示すように、接着面上に占めるトナー面積率が大きくなるほど、剥離力が小さくなっている。
【００６３】
これは、トナー像の表面性と、トナー中に含有するワックス成分や定着する際に付着するシリコンオイル成分に起因するもので、トナー像と非トナー像で接着剤の接着力が変化するためである。したがって、同じ線の太さで本数が少ないためトナー像の面積が図９の（ｂ）のシートＳ２ａよりも少ない、図９の（ａ）のシートＳ１ａの剥離力は、シートＳ２ａに比べて大きくなる。また、線の数が同じで図９の（ｂ）の線の太さよりも狭い、図９の（ｃ）のシートＳ３ａの剥離力はシートＳ２ａに比べて大きくなる。
【００６４】
また、図１０の（ｂ）は、トナー像の専有面積を一定にして、像中のトナー載り量と剥離力の関係を示したグラフ（図）である。そして、このグラフに示すように、トナーの載り量が多くなるほど、剥離力が小さくなっている。これは、トナー像の多重塗布による表面性の向上とワックス成分の増量が接着力の変化に寄与しているためである。
【００６５】
このように、シートの剥離力（接着力）は、トナー像を形作るトナーの量により調整することができる。本実施の形態では、制御装置としてのＣＰＵ回路部４００Ａにより、プリンタ制御部４０６を介してトナー量を調整しながら接着力調整用のトナー像を形成するトナー像形成部である画像形成部１２０による接着力調整用トナー像形成動作を制御している。
【００６６】
具体的には、ＣＰＵ回路部４００Ａは画像形成部１２０を制御し、接着剤による接着力を調整するため画像形成部１２０により形成される接着力調整用のトナー像の形成面積を調整するようにしている。或は、ＣＰＵ回路部４００Ａは接着力調整用のトナー像の単位面積あたりのトナーの量（載り量）を調整するようにしている。
【００６７】
次に、このようなシート上のトナー像を形作るトナーの量により接着力の調整を行うようにした折り製本処理部１０００におけるシート接着方法について説明する。
【００６８】
以下、既述した図４の（ａ）に示す内面糊封中折りシートと、図６に示す表紙閉封中綴じ製本されたシート束ＳＡの作成を例にして説明する。なお、図４の（ａ）は給与明細や個人情報等が記載された面を内側にして二つ折りされたもので、糊の貼り付け強度を高くして、中の記載事項を隠す必要がある親展書類である。図６は表紙によって閉／開封性を有する中綴じ製本で、機密性はあまり高くなく、どちらかといえば何度も繰り返し開封／閉封を行いたい書類であるとする。
【００６９】
そして、本実施の形態においては、この２つの書類をシート処理装置であるフィニッシャ５００において、糊の種類を変更せず実現させることができる。
【００７０】
まず、内面糊封中折りシートを作成する動作について説明する。
【００７１】
この場合、まず複写機本体１００に設けられた操作部４１０（図７参照）により、「製本形態」と「糊付け箇所」、「糊付け強度」を設定し、プリント出力動作をスタートさせる。これにより、複写機本体１００において、図１１の（ａ）のようにシートＳの周縁部Ｔに本文（通常の記録部分）以外の接着力調整用のトナー像３を載せたシート面が形成される。
【００７２】
そして、このシートＳは、図１１の（ｂ）のようにトナー像３を載せたシート面が下側になるように、複写機本体１００から排出され、フィニッシャ５００の折り製本処理部１０００に導かれる。この後、このシートＳは、図１２の（ａ）に示すように、折り製本処理部１０００の収納ガイド１０２０内に収納される。
【００７３】
次に、このシートＳが所定位置まで通過すると、通常は破線で示す待機位置にある加圧ローラ１０１０が、糊付け機側に移動し、これによりシートＳは、加圧ローラ１０１０と、糊付け機１００９とによって挟持されながら搬送される。そして、このとき図１２の（ｂ）に示すシートＳの後端の斜線領域に対し、加圧ローラ１０１０と共に接着剤塗布部を構成する糊付け機１００９によって糊付け処理が施され、シートＳの接着領域である糊付け部Ｎが形成される。
【００７４】
この後、糊付け部Ｎが形成されたシートＳは、シート位置決め部材１０１１により、図１３の（ａ）に示すように、シート中央と第２折りローラ対１００６のニップ位置が一致する高さまで移動する。なお、この途中、不図示の搬送ローラは糊付け部Ｎの通過に合わせて離間するように構成されており、糊付け部Ｎの糊がローラ表面に付着することを防止している。
【００７５】
次に、図１３の（ｂ）に示すように、第２突き出し部材１００８によって、シートＳの中央部が突かれ、第２折りローラ対１００６によって折り込まれる。このとき、図１２（ｂ）に示す糊付け部Ｎにより、シートＰの、折り部と反対側の開放側の、図１１の（ａ）に示す周縁部Ｔにトナー像３を載せたシート面が貼り合わされる。
【００７６】
次に、このようにシート貼り合わせ手段である第２突き出し部材１００８と第２折りローラ対１００６とにより、糊付け部Ｎと、シートの接着力調整用のトナー像３が形成された部分が貼り合わされたシートＳは、搬送ベルト１０１７により搬送される。
【００７７】
そして、このように搬送ベルト１０１７により搬送されながら、その途中で、図１４の（ａ）に示すように、トンボ（基準）位置に合わせるように、予め移動していた円盤カッター１０１４により天地が切断される。更に、搬送ベルト１０１７と排出ローラ１０１６によって送られ、図１４の（ｂ）に示すように、小口部が小口カッター１０１５により切断される。
【００７８】
なお、このようにして製本された後、排出された生成物（図４の（ａ）参照）は糊の接着強度が非常に強く、簡単には剥がれるものではない。したがって、このままの生成物状態でも機密書類として使用可能である。また、場合によっては、オフラインで設けたミシン目付け機によって、折り目以外の３辺にスリットを設けることで開封性をあげることも可能である。また、トナー像の面積を変えることによって、接着強度を変えることが可能である。
【００７９】
なお、図４の（ｂ）の成果物は、図４の（ａ）の折り部を小口カッター１０１５にてカットしたものである。ここで、これまでの説明においては、トナー像と接着領域とを同一のシート上に形成し、このシートＳを貼り合せる場合について説明した。しかし、２枚のシートの一方にトナー像、他方に接着領域を形成し、トナー像と接着領域を貼り合わせることにより２枚のシートを接着しても、また２枚のシートの両方に、トナー像と接着領域を各々対応するように形成し、貼り合わせても同等の成果物が得られる。
【００８０】
次に、図６に示す表紙によって閉／開封性を有する中綴じ製本されたシート束ＳＡを作成する動作について説明する。
【００８１】
この場合、まず複写機本体１００に設けられた接着剤による接着力の大きさを指定する入力部である操作部４１０により、「製本形態」と「糊付け箇所」、「糊付け強度」を設定し、プリント出力動作をスタートさせる。これにより、複写機本体１００において、シートに順次画像が形成され、この後、シートはフィニッシャ５００の折り製本処理部１０００の収納ガイド１０２０内に順次導かれる。
【００８２】
そして、最後に、図１５に示すように、収納ガイド１０２０内に順次導かれたシートを包み込む表紙及び裏面が一体になった表面シートＳ’の裏面となる部分Ｓｂに接着力調整用のトナー像３が形成される。なお、図１５において、Ｓａは、この表面シートＳ’によりシート束を包み込んだ際、シート束の表紙となる部分である。
【００８３】
この後、この表面シートＳ’は、表紙面が上側になるように複写機本体１００から排出されて、折り製本処理部１０００の収納ガイド１０２０内に収納される。そして、表面シートＳ’が所定位置まで通過すると、図１６の（ａ）に示す待機位置にある加圧ローラ１０１０が、糊付け機側に移動する。
【００８４】
これにより、表面シートＳ’は、加圧ローラ１０１０と糊付け機１００９とによって挟持されながら搬送される。そして、このとき、糊付け機１００９により、図１６の（ｂ）のように表面シートＳ’の表紙の表面と反対側の面の後端部の斜線領域に糊付け処理が施され、糊付け部Ｎが形成される。
【００８５】
この後、糊付け部Ｎが形成された表面シートＳ’は、図１７の（ａ）に示すように第１折りローラ対１００３と第１突き出し部材１００２により、表面シートＳ’の図１６に示す表紙部分Ｓａの破線部分Ｓｃに対して折りが施される。そして、このような折り処理の後、次の処理工程に備えるために表紙シートＳ’はスイッチバックし、図１７の（ｂ）に示すように再び先端が収納ガイドのシート位置決め部材１０１１に当接するまで戻される。
【００８６】
次に、このようにシート位置決め部材１０１１に当接するまで戻された表紙シートＳ’と、既にシート位置決め部材１０１１に当接している中身のシートとの整合を行う。そして、整合が終了すると、図１８の（ａ）に示すようにステイプラ１００５によって表紙シートＳ’及び中身シートが、中身シートの中央部で中綴じされる。この後、中綴じされたシート束は、シート位置決め部材１０１１によって、中身シートの中央と第２折りローラ対１００６のニップ位置が一致する高さまで移動される。
【００８７】
次に、第２突き出し部材１００８によって、図１８の（ｂ）に示すように、シート束ＳＤの中央部が突かれ、第２折りローラ対１００６によって折り込まれる。なお、このシート束ＳＤの折り部が第２折りローラ対１００６を通過し、先頭部が搬送ベルト１０１７上に載った位置で、図１９の（ａ）に示すように第２折りローラ対１００６は上下に離間する。
【００８８】
この後、表紙シートＳ’の後端部が切替ガイド１０１９の先端を超えた位置で、搬送ベルト１０１７を逆回転させる。ここで、この切替ガイド１０１９は、上下方向に回動可能となっており、表紙シートＳ’の後端部が切替ガイド１０１９の先端を越えると、その先端は図１９の（ｂ）に示すように搬送ベルト１０１７の上方に移動するようになっている。
【００８９】
このため、搬送ベルト１０１７を逆回転させると、表紙シートＳ’の後端部が切替ガイド１０１９の下に潜り込むようになる。また、同時に第２折りローラ対１００６も接触する方向に移動する。
【００９０】
次に、切替ガイド１０１９を下方へ動作させながら、更に搬送ベルト１０１７によって第２折りローラ対１００６の方向に搬送する。これにより、図２０の（ａ）に示すように、第１折りローラ対１００３による折り目位置を第２折りローラ対１００６にニップさせ、糊づけ位置を加圧して貼り付ける。
【００９１】
この後、貼り付けが終了すると、図２０の（ｂ）に示すように、搬送ベルト１０１７と第２折りローラ対１００６を再び逆回転し、排出ローラ１０１６によってトレイ１０１８上に排出される。
【００９２】
ここで、排出された生成物は、図６に示すように、表紙によって包まれた形であるが、糊の接着強度が比較的弱く、剥離性も良いので、接着領域において繰り返し着脱することが可能となる。なお、本実施の形態においては、表紙シートＳ’を複写機本体１００から直接、フィニッシャ５００へ搬送したが、予め、複写機本体１００にて出力したものを、インサータ５０１から給送するようにしても、同等の成果物を得ることができる。
【００９３】
次に、制御部としてのフィニッシャ制御部４１１における、得ようとする成果物に応じた糊処理加工の制御について図２１に示すフローチャートを用いて説明する。
【００９４】
ユーザの操作による糊付け情報は、既述した図７に示すＰＣ４０１、若しくは操作部４１０で設定され、外部Ｉ／Ｆ４０２を介して、フィニッシャ制御部４１１に送られる。
【００９５】
そして、フィニッシャ制御部４１１は、まず操作部４１０等により糊付け処理があるか、即ち糊付け処理が設定されているかを判断する（ＳＴＥＰ１）。糊付け処理が無い場合（ＳＴＥＰ１のＮ）、ＳＴＥＰ４へ進む。糊付け処理がある場合は（ＳＴＥＰ１のＹ）、最終成果物の糊貼りつき力選択フローに移る（ＳＴＥＰ２）。
【００９６】
ここで貼り付き強度を大きく設定した場合は、ＳＴＥＰ３１へ進み、糊付け処理部（図８参照）により設定されるトナー糊付け制御パターンＡによって、接着力調整用のトナー像３を形作るトナー量（少なめ）及び糊付け位置が制御される。
【００９７】
また、貼り付き強度を中程度に設定した場合は、ＳＴＥＰ３２へ進み、トナー糊付け制御パターンＢによってトナー量（普通）及び糊付け位置が制御される。さらに、貼り付き強度を小さく設定した場合は、ＳＴＥＰ３３へ進み、トナー糊付け制御パターンＣによって、トナー量（多め）及び糊付け位置が制御される。
【００９８】
そして、このように接着力調整用のトナー像３を形作るトナーの量を、得ようとする成果物に応じて調整することにより、接着剤による接着力を調整するようにしている。なお、このようなトナーの量の調整は、既述したようにトナー像の形成面積を調整する、或はトナー像の単位面積あたりのトナーの量を調整することにより行う。
【００９９】
次に、このように各ＳＴＥＰ３１〜３３により、糊付け処理制御が確定した後、複数折り処理が有るか判断する（ＳＴＥＰ４）。複数折り処理が無い場合は（ＳＴＥＰ４のＮ）、ＳＴＥＰ６へ進み、複数折り処理が有る場合は（ＳＴＥＰ４のＹ）、ＳＴＥＰ５へ進み、まず第１折り処理部（図８参照）の制御によって第１折り処理が施される。
【０１００】
次に、シートのステイプル綴じ処理（中綴じ処理）が有るかを判断し（ＳＴＥＰ６）、シートのステイプル綴じ処理がない場合は（ＳＴＥＰ６のＮ）、ＳＴＥＰ８に進む。ステイプル綴じ処理がある場合は（ＳＴＥＰ６のＹ）、ステイプル処理部（図８参照）の制御によって、シート（束）の中央に中綴じ処理が施される（ＳＴＥＰ７）。次に、第２折り処理部（図８参照）の制御によって、シート（束）の折り処理制御が施される（ＳＴＥＰ８）。
【０１０１】
次に、表紙包み処理があるか判断し（ＳＴＥＰ９）、表紙包み処理がない場合は（ＳＴＥＰ９のＮ）、ＳＴＥＰ１１に進む。表紙包み処理がある場合は（ＳＴＥＰ９のＹ）、折り搬送処理部（図８参照）による切替ガイド駆動モータＭ１の駆動制御により切替ガイド１０１９を駆動することによって、表紙包み処理が行われる（ＳＴＥＰ１０）。
【０１０２】
次に、天地カットがあるか判断し（ＳＴＥＰ１１）、天地カット処理が無い場合は（ＳＴＥＰ１１のＮ）、ＳＴＥＰ１３へ進む。天地カット処理がある場合は（ＳＴＥＰ１１のＹ）、折り搬送処理部（図８参照）による前／奥円盤カッター（駆動）モータＭ２，Ｍ３の駆動制御によりシート（束）の天と地がカットされる（ＳＴＥＰ１２）。
【０１０３】
次に、小口カットがあるか判断し（ＳＴＥＰ１３）、小口カット処理が無い場合は（ＳＴＥＰ１３のＮ）、ＳＴＥＰ１５へ進む。小口カット処理がある場合は（ＳＴＥＰ１３のＹ）、折り搬送処理部（図８参照）による小口カッター駆動モータＭ５の駆動制御によりシート（束）の小口部がカットされる（ＳＴＥＰ１４）。そして、このようなシート（束）の天と地、及び小口部のカットが終了すると、シート（束）はトレイ上に排出される（ＳＴＥＰ１５）。
【０１０４】
このように、本発明によれば、シートの、糊付け部Ｎに貼り合わされるトナー像（部）に形成される接着力調整用のトナー像３のトナーの量を調整することにより、接着剤による接着力の強度を調整することができる。
【０１０５】
これにより、必要以上に大型な装置を用意することなく、また装置コストを上げることなく、さらに成果物の生産単価を上げることなく、簡易的な構成で自由に接着力の強度を調整することができる。また、接着強度設定が簡単で、自由に幅広く接着力の強度を調整することができるため、オンデマンド提供型の成果物にも対応可能となる。
【０１０６】
さらに、例えば、スプレー接着剤、ホットメルト等、接着剤の種類を選ぶことなしに、液状のものから固形のものまで幅広いタイプの接着剤に対して、接着力の強度を調整することができるため、使用用途が大きい。また、一般に市場普及されている装置を使用して接着力の強度を調整することができるため、幅広く利用することができる。
【０１０７】
なお、これまでの説明においては、フィニッシャ５００を複写機本体１００に接続し、複写機本体１００からのシートを、フィニッシャ５００によりオンラインで処理する場合について述べてきたが、本発明は、これに限らない。例えば、予め接着力調整用のトナー像が形成されたシートをインサータ５０１にセットすることにより、フィニッシャ５００を単独で使用することができる。この場合、シートの貼り合わせ処理は、フィニッシャ制御部４１１（図８参照）による制御により行う。
【０１０８】
また、接着剤塗布部を構成する加圧ローラ１０１０と糊付け機１００９、及びシート貼り合わせ手段を構成する第２突き出し部材１００８と第２折りローラ対１００６を複写機本体１００に組み込み、処理するようにしてもよい。
【０１０９】
ところで、これまでの説明においては、糊付け部Ｎに貼り合わされるトナー像に形成される接着力調整用のトナー像３のトナーの量を調整することにより、接着剤による接着力の強度を調整するようにしたが、これに限らない。
【０１１０】
例えば、通常の記録部分に接着剤を塗布するようにしても良い。この場合、画像信号制御部４０５（図７）からの画像データに基づいて塗布すべき接着剤の量を決定する。具体的には、画像形成部１２０によって画像形成される通常の記録部分の画像データに基づいて決定されたトナー量に応じて接着剤を塗布すべき場所、面積等決定する。
【０１１１】
これにより、わざわざ通常の記録領域外に接着力調整用のトナー像を形成する必要がなくなり、通常の記録部分のトナー量に応じて接着剤の塗布量を調整することにより接着力の強度を調整することができる。
【０１１２】
また、記録領域外に接着力調整用のトナー像を形成する際、透明（クリア）トナーを用いるようにしてもよい。透明トナーにより形成された無色の接着領域は見栄えがよくなる。
【０１１３】
さらに、複写機本体１００から折り製本処理部１０００までの搬送パスに画像読取手段を設け、接着剤塗布部の塗布量を制御する制御部であるフィニッシャ制御部４１１が搬送シートから読み取った画像データに応じて接着剤の塗布量を調整するようにしてもよい。
【０１１４】
なお、インサータ５０１を利用して予めトナー像が形成されたシートをフィニッシャ５００で処理する場合は、ユーザが操作部４１０からトナー載り量（例えば「少なめ」「普通」「多め」）を入力することにより接着剤の塗布量を調整する。あるいは、インサータ５０１からの搬送パスに画像読取手段を設け、フィニッシャ制御部４１１が挿入されたシートから読み取った画像データに応じて接着剤の塗布量を調整するようにしてもよい。
【図面の簡単な説明】
【０１１５】
【図１】本発明の実施の形態に係るシート処理装置を備えた画像形成装置の一例である複写機の構成を示す図。
【図２】上記複写機に設けられたフィニッシャの構成を説明する図。
【図３】上記フィニッシャに設けられた折り製本処理部において、生成される製本物の形態を示す第１の図。
【図４】上記フィニッシャに設けられた折り製本処理部において、生成される製本物の形態を示す第２の図。
【図５】上記フィニッシャに設けられた折り製本処理部において、生成される製本物の形態を示す第３の図。
【図６】上記フィニッシャに設けられた折り製本処理部において、生成される製本物の形態を示す第４の図。
【図７】上記複写機の制御ブロック図。
【図８】上記フィニッシャに設けられたフィニッシャ制御部の制御ブロック図。
【図９】上記フィニッシャにおける接着方法を説明する図。
【図１０】上記接着方法における、（ａ）は剥離力とトナー面積の関係を示す図、（ｂ）は剥離力とトナー載り量の関係を示す図。
【図１１】上記シート処理装置の内面糊封中折りシートを作成する動作を説明する第１の図。
【図１２】上記シート処理装置の内面糊封中折りシートを作成する動作を説明する第２の図。
【図１３】上記シート処理装置の内面糊封中折りシートを作成する動作を説明する第３の図。
【図１４】上記シート処理装置の内面糊封中折りシートを作成する動作を説明する第４の図。
【図１５】上記シート処理装置の中綴じ製本されたシート束を作成する動作を説明する第１の図。
【図１６】上記シート処理装置の中綴じ製本されたシート束を作成する動作を説明する第２の図。
【図１７】上記シート処理装置の中綴じ製本されたシート束を作成する動作を説明する第３の図。
【図１８】上記シート処理装置の中綴じ製本されたシート束を作成する動作を説明する第４の図。
【図１９】上記シート処理装置の中綴じ製本されたシート束を作成する動作を説明する第５の図。
【図２０】上記シート処理装置の中綴じ製本されたシート束を作成する動作を説明する第６の図。
【図２１】上記フィニッシャ制御部における得ようとする成果物に応じた糊処理加工の制御を説明するフローチャート。
【符号の説明】
【０１１６】
３        接着力調整用のトナー像
１００Ａ  白黒・カラー複写機
１００    複写機本体
１２０    画像形成部
４００Ａ  ＣＰＵ回路部
４１０    操作部
４１１    フィニッシャ制御部
５００    フィニッシャ
１０００  折り製本処理部
１００６  第２折りローラ対
１００８  第２突出し部材
１００９  糊付け機
１０１０  加圧ローラ
Ｎ        糊付け部
Ｓ        シート
Ｓ’      表面シート
【図１】
0005153500.tif 000002
【図２】
0005153500.tif 000003
【図３】
0005153500.tif 000004
【図４】
0005153500.tif 000005
【図５】
0005153500.tif 000006
【図６】
0005153500.tif 000007
【図７】
0005153500.tif 000008
【図８】
0005153500.tif 000009
【図９】
0005153500.tif 000010
【図１０】
0005153500.tif 000011
【図１１】
0005153500.tif 000012
【図１２】
0005153500.tif 000013
【図１３】
0005153500.tif 000014
【図１４】
0005153500.tif 000015
【図１５】
0005153500.tif 000016
【図１６】
0005153500.tif 000017
【図１７】
0005153500.tif 000018
【図１８】
0005153500.tif 000019
【図１９】
0005153500.tif 000020
【図２０】
0005153500.tif 000021
【図２１】
0005153500.tif 000022